(57)【要約】【課題】遊技盤後面側の保守作業性を改善した遊技盤の支持機構を提供する。【解決手段】固定保持用の外枠１０に前枠ヒンジ機構３を介して前方に横開き開閉可能に組み付けられた前枠２０と、前枠に設けられた収容枠２１に後方から収容される遊技盤３０と、前枠２０に裏セット盤ヒンジ機構６０を介して後方に横開き開閉可能に組み付けられる裏セット盤４０とを備えた遊技機において、遊技盤３０は、前枠ヒンジ機構３および裏セット盤ヒンジ機構６０と反対側の側縁に設けられた遊技盤ヒンジ機構５０により後方に横開き開閉および着脱が可能に支持され、遊技盤３０の開放端側と裏セット盤４０の開放端側に設けられた遊技盤開放保持機構７０により遊技盤３０の後面側が前方に向けて開放保持される。【選択図】  図４
2005000298.tif 000002
【特許請求の範囲】
【請求項１】
固定保持用の外枠と、前記外枠に互いの一側縁側に設けられた前枠ヒンジ機構を介して前方に横開き開閉可能に組み付けられた開閉搭載用の前枠と、前面に遊技領域を有し前記前枠に設けられた収容枠に前記前枠の後方から収容保持される遊技盤と、前記前枠ヒンジ機構と同じ前記一側縁側に設けられた裏セット盤ヒンジ機構を介して前記前枠に後方に横開き開閉可能に組み付けられる裏セット盤とを備えた遊技機において、
前記遊技盤は、前記前枠および前記遊技盤における前記一側縁側と反対側の他側縁側に設けられた遊技盤ヒンジ機構により、前記収容枠の後方に横開き開閉および着脱が可能に収容され、
前記遊技盤および前記裏セット盤には、前記前枠が前記外枠の前方に開放され前記裏セット盤が前記前枠の後方に開放されさらに前記遊技盤が前記前枠の後方に開放された遊技盤開放状態において相互に係脱可能な係合手段を備え、
前記遊技盤開放状態で前記係合手段を係合させることにより、前記遊技盤が前記前枠の後方に開放された開放姿勢に保持されるように構成したことを特徴とする遊技盤の支持機構。
【発明の詳細な説明】
【０００１】
【発明の属する技術分野】
本発明は、固定保持用の外枠に前方に横開き開閉可能に組み付けられた前枠と、この前枠に設けられた収容枠に収容保持される遊技盤と、前枠に後方に横開き開閉可能に組み付けられる裏セット盤とを備えた遊技機における遊技盤の支持機構に関する。
【０００２】
【従来の技術】
上記のような外枠、前枠、遊技盤および裏セット盤を備えた遊技機として、パチンコ機やアレンジボール機、雀球機などが広く知られている。この種の遊技機の代表例とされるパチンコ機では、遊技施設の遊技島に固定される固定保持用の外枠に開閉搭載用の前枠が前枠ヒンジ機構を介して横開き開閉可能に取り付けられ、前面側に遊技領域を有する遊技盤が前枠に設けられた収容枠に着脱可能に収容保持され、遊技盤の前方を覆うガラス窓を通して遊技領域を遊技者に臨ませている。前枠の後方には、遊技盤から排出される遊技済み球を処理する処理機構や、入賞状態に応じて遊技球を払い出す賞球機構等を備えた裏セット盤（裏機構盤とも称される）が裏セット盤ヒンジ機構を介して後方に横開き開閉可能に組み付けられ、常には遊技盤の後面を覆って閉止保持される。
【０００３】
ここで、遊技盤は、パチンコ機の機種変更に対する生産対応の柔軟性を確保し、またいわゆる盤面替えや遊技盤の保守交換等に迅速に対応できるように、主要な形状寸法が共通化されており、一般的に、前枠に遊技盤の外形よりも幾分大きめな枠形状に形成された収容枠に着脱可能に収容され、各部に設けられた閉鎖クランプや固定レバー等の施錠具によってセット保持されるように構成される。なお遊技盤の着脱形態には、遊技盤を前枠の前方（前面側）から着脱する遊技盤前方着脱形態と、前枠の後方（後面側）から着脱する遊技盤後方着脱形態とがあり、いずれかの形態が採用されている。
【０００４】
ところで、近年のパチンコ機では、ゲーム展開を多様化させるために液晶表示装置が採用されるとともにそのサイズが年々大型化し、また画面表示の高度化に伴って画像表示基板が大型化し、あるいは入賞装置やランプ装置が複雑化するなど、遊技盤に組み付けられる各種遊技構成部品が高度化、複雑化して遊技盤の重量が増加の一途を辿っている。このため、遊技盤の装着作業は、大型かつ重量のある遊技盤を支持して収容枠に収容し、さらに片手で遊技盤を支持しながら施錠具を固定操作しなければならず、熟練作業者にとっても煩雑で重労働であるという問題があった。また遊技盤を取り外す脱着作業は、施錠具を解放状態にして遊技盤を収容枠から引き出す操作を行うが、このときには収容枠と遊技盤との間のわずかな隙間を利用して遊技盤を注意深く引き出す必要があり、また遊技盤を収容枠から引き出す際に遊技盤の全重量が急に作用することもあって、装着作業と同様に煩雑かつ重労働とされ、適切な支持を怠ると遊技盤を落下させてしまうおそれがあるという問題があった。
【０００５】
そこで、このような問題を解決して作業性を改善するため、前述した遊技盤後方着脱形態のパチンコ機にあって、前枠ヒンジ機構や裏セット盤ヒンジ機構と同じ側縁側（例えば、正面視における左側縁側）の前枠および遊技盤に、収容枠側ヒンジ金具および遊技盤側ヒンジ金具の軸ピンと軸孔との嵌合による遊技盤ヒンジ機構を設け、裏セット盤を前枠に対して開放させた状態で、遊技盤を収容枠の後方に横開き開閉および着脱可能に支持させた遊技盤の開閉着脱機構が提案されている（例えば、特許文献１を参照）。
【０００６】
【特許文献１】
特開２００３−１９３１９号公報（第３頁、第３〜９図）
【０００７】
【発明が解決しようとする課題】
確かに、上記特許文献１に開示された遊技盤の開閉着脱機構によれば、遊技盤を収容枠の後方に横開き開閉および着脱可能に支持させることができ、これにより従来重労働とされた遊技盤着脱作業の作業性を改善できそうである。しかしながら、このような遊技盤の開閉着脱機構では、遊技盤ヒンジ機構が前枠ヒンジ機構や裏セット盤ヒンジ機構と同じ側縁側に設けられていたため、遊技盤を収容枠に装着する際に、前枠と裏セット盤とに挟まれた奥部で、収容枠側ヒンジ金具および遊技盤側ヒンジ金具の軸ピンと軸孔の細かい位置合わせをして嵌合させる必要があり、この位置合わせの作業が案外煩雑であるという課題があった。
【０００８】
また、遊技盤の後面側（裏面側）には、入賞球を検出する入賞検出器や電動入賞具を開閉させる電磁石、ソレノイドなどの電気部品や可動部品、入賞球を流下させる球通路が形成された通路部材などが取り付けられており、これら各種部品の点検作業や球通路の清掃作業等を行う必要がある。このような日常的な保守作業は、従来では、前枠を前方に開放し遊技盤を収容枠に保持させたまま前枠の後方から行われていたが、裏セット盤ヒンジ機構が設けられた側縁側ではすぐ側方に位置する裏セット盤の存在によりこの側方領域の保守作業が行いにくいという問題や、遊技者用の椅子との位置関係で作業者が立てる作業領域が制限され苦しい作業姿勢を強いられるという問題など、遊技盤後面側の保守作業を行う上での作業性について改善すべき課題があった。
【０００９】
本発明は、上記のような従来技術の問題や開示技術の課題に鑑みてなされたものであり、遊技盤着脱時の作業性や遊技盤後面側の保守作業の作業性等を改善した遊技盤の支持機構を提供することを目的とする。
【００１０】
【課題を解決するための手段】
上記目的達成のため、本発明は、固定保持用の外枠と、この外枠に互いの一側縁側に設けられた前枠ヒンジ機構を介して前方に横開き開閉可能に組み付けられた開閉搭載用の前枠と、前面に遊技領域を有し前枠に設けられた収容枠に前枠の後方から収容保持される遊技盤と、前枠ヒンジ機構と同じ一側縁側に設けられた裏セット盤ヒンジ機構を介して前枠に後方に横開き開閉可能に組み付けられる裏セット盤とを備えた遊技機における遊技盤の支持機構である。この支持機構では、遊技盤が前枠および遊技盤における一側縁側と反対側の他側縁側に設けられた遊技盤ヒンジ機構により、収容枠の後方に横開き開閉および着脱が可能に収容されるとともに、遊技盤および裏セット盤には、前枠が外枠の前方に開放され裏セット盤が前枠の後方に開放されさらに遊技盤が前枠の後方に開放された遊技盤開放状態において相互に係脱可能な係合手段（例えば、実施形態における係合軸７１と受け金具７２とからなる遊技盤開放保持機構７０等）を備え、上記遊技盤開放状態で係合手段を係合させることにより、遊技盤が前枠の後方に開放された開放姿勢に保持されるように構成される。
【００１１】
このような遊技盤の支持機構では、遊技盤ヒンジ機構が、前枠ヒンジ機構や裏セット盤ヒンジ機構が設けられた一側縁側と反対側の他側縁側に設けられ、この遊技盤ヒンジ機構により遊技盤が収容枠の後方に横開き開閉および着脱可能に収容される。このため、前枠を外枠前方に開放し裏セット盤を前枠後方に開放した裏セット盤開放状態では、遊技盤ヒンジ機構が、開放された前枠の開放端側（前端側）に位置して視認および係脱操作容易に配設され、例えば、遊技盤を収容枠に収容させる装着作業では、収容枠側ヒンジ金具と遊技盤側ヒンジ金具とを容易に位置合わせして係合させることができる。そして、ヒンジ係合後は遊技盤の後面を前方に押圧して揺動閉止させることで遊技盤を簡単に収容枠に収容させることができる。
【００１２】
また、本構成の支持機構では、裏セット盤開放状態でさらに遊技盤が前枠の後方に開放された遊技盤開放状態において、相互に係脱可能な係合手段が遊技盤および裏セット盤に備えられており、遊技盤開放状態で係合手段を係合させることにより、遊技盤と裏セット盤とが連結されて遊技盤が前枠の後方に開放された開放姿勢に保持される。ここで、前枠ヒンジ機構および裏セット盤ヒンジ機構は同じ一側縁側（例えば、正面視における左側縁側）に設けられ、遊技盤ヒンジ機構は反対側の他側縁側（同上、右側縁側）に設けられている。そして、係合手段によって遊技盤が開放姿勢に保持された状態では、遊技盤が、前枠の開放端側（右側縁側）と裏セット盤の開放端側（右側縁側）との間を繋いで支持され、遊技盤の後面側が前方に開いた状態で配設される。このため、遊技盤の後面側全域について支障なく保守作業を行えるほか、隣接する遊技機の遊技者用の椅子に腰掛けて楽な作業姿勢で保守作業を行うことができる。
【００１３】
従って、本発明によれば、従来技術の問題および開示技術の課題を解決して、遊技盤着脱時の作業性や遊技盤後面側の保守作業の作業性等を改善した遊技盤の支持機構を提供することができる。
【００１４】
【発明の実施の形態】
以下、本発明の好ましい実施形態について添付図面を参照しながら説明する。本発明に係る遊技盤の支持機構を備えた遊技機の一例として、図１にパチンコ機ＰＭの正面図を、図２にパチンコ機ＰＭの背面図を、図３に外枠を取り外して裏セット盤を開放した状態におけるパチンコ機ＰＭの背面図を示しており、まずこれらの図面を参照してパチンコ機ＰＭの全体概要について説明する。
【００１５】
パチンコ機ＰＭは、外郭方形枠サイズに構成された固定保持用の外枠１０の前面側に、この外枠１０の前側開口面域に合わせた方形枠サイズの開閉搭載用の前枠２０が、正面視における互いの左側縁上下に配設された前枠ヒンジ機構３（３Ｕ，３Ｌ）により前方に横開き開閉および着脱が可能に取り付けられ、正面右側に設けられた施錠装置４を利用して、常には外枠１０と係合された閉鎖状態に保持される。外枠１０は木材や樹脂材等で加工成形された上下の枠板１１，１４および左右の枠板１２，１３を直角に枠組み連結すると共に、各隅角部に補強金具を固定して構成される。
【００１６】
前枠２０の前面上部には、前枠２０の前側面域に合わせた方形状のガラス扉５および上球皿６が前方に横開き開閉および着脱可能に取り付けられ、その下方には遊技球を貯留する下球皿７および遊技球の発射操作を行う発射ハンドル８が取り付けられている。一方、前枠２０の後面側上部には、ガラス扉５の背後に位置して遊技盤３０を収容保持する収容枠２１が設けられている。本実施例では収容枠２１を前枠２０の後面側に一体成型したタイプを例示する。
【００１７】
遊技盤３０は、積層合板の前面側にセルが貼付された化粧板（ベニヤとも称される）３１を基盤として構成される。遊技盤３０の前面側には、内外の案内レールに囲まれて略円形の遊技領域ＰＡが区画形成され、その内側に多数本の遊技釘とともに、風車、各種入賞具３４、画像表示装置３５等が所定のゲージ設定に基づいて配設されている。遊技領域ＰＡの下端にはこの領域を落下した遊技球を化粧板３１の裏面側に排出するアウト口３７が設けられている。
【００１８】
遊技盤３０は、後に詳述する遊技盤ヒンジ機構５０（５０Ｕ，５０Ｌ）により前枠２０の後方に横開き開閉および着脱が可能に支持され、収容枠２１の周辺各部に設けられた複数の閉鎖クランプ２３，２３′により収容枠２１に収容された閉鎖姿勢で係止保持され、常には遊技盤前面の遊技領域ＰＡをガラス扉５を通して遊技者に臨ませている。前枠２０の後面側下部には、発射ハンドル８の回動操作に基づいて遊技球を発射する遊技球発射装置９が設けられている。
【００１９】
遊技盤３０の後方に位置して裏セット盤４０が配設される。裏セット盤４０には、上面開放の箱状に形成されて遊技球を貯留する球貯留タンク４１、球貯留タンク４１から供給された遊技球を整列させて流下させるタンクレール４２、整列待機された遊技球を所定の入賞状態に基づいて遊技球を払い出す球払出装置４４、球払出装置から払い出された遊技球を上下の球皿６，７に導く球払出通路４５などの賞球機構、および遊技盤３０から裏面側に排出されたアウト球およびセーフ球を遊技施設側の回収バケットに流下させる遊技済み球排出通路４６が設けられている。また裏セット盤４０の後面側には電源基盤や主制御基板、払出制御基板などの各種回路基盤が取り付けられ、これらの回路基板と電気・電子部品とが配線接続されて遊技可能に構成される。
【００２０】
裏セット盤４０は、次述する裏セット盤ヒンジ機構６０（６０Ｕ，６０Ｌ）により、前枠２０が外枠１０の前方に開放された状態で、前枠２０の後方に横開き開閉および着脱が可能に取り付けられ、裏セット盤４０の周縁各部に設けられた複数のロックレバー２５，２５…を利用して常には遊技盤３０の後面側を覆って閉鎖保持される。
【００２１】
さて、以上のように概要構成されるパチンコ機ＰＭにあって、図４に遊技盤３０を開放姿勢に保持させたパチンコ機ＰＭの平面図を示すように、裏セット盤４０を前枠後方に横開き開閉および着脱可能に支持する裏セット盤ヒンジ機構６０は、前枠ヒンジ機構３が設けられた側縁と同じ側縁側、すなわち、正面視における前枠２０および裏セット盤４０の互いの左側縁側（背面視における右側縁側）に設けられている。図５に裏セット盤４０を開放した状態における裏セット盤ヒンジ機構６０の背面図を示す。なお、裏セット盤ヒンジ機構６０および遊技盤ヒンジ機構５０の説明では、前枠２０を開放して後面側から見た状態を主として示し説明するため、図３に示した背面視における左右方向をもって左右と称し説明する。
【００２２】
裏セット盤ヒンジ機構６０は、上下一対のヒンジ機構６０Ｕ，６０Ｌからなり、各ヒンジ機構６０Ｕ，６０Ｌは、それぞれ前枠２０の後面側にネジ固定された前枠側ヒンジ金具６１，６１と、裏セット盤３０の前面側にネジ固定された裏セット盤側ヒンジ金具６２，６２とからなり、これらのヒンジ金具の軸ピンと軸孔の嵌合によるヒンジ機構である。
【００２３】
前枠側ヒンジ金具６１は、上下に延びる帯板状の固定フランジ部６１ａと、この固定フランジ部の下部が直角に折り曲げられて後方に水平に延びるヒンジプレート部６１ｂとを有し、ヒンジプレート部６１ｂには上方に突出して先端テーパ状のヒンジピン６１ｃがカシメ固着されている。固定フランジ部６１ａには、前枠２０のヒンジ金具取付部に後方に突出成形された位置決め突起６３ｄと嵌脱可能な位置決めピン孔６１ｄが形成されるとともに、その上下にサラ穴形態のネジ挿通孔が形成されている。
【００２４】
前枠側ヒンジ金具６１は、例えば板厚２．３ｍｍ程度の冷間圧延鋼板をプレス成型等により図示する所定形状に打ち抜きおよび曲げ成形し、ヒンジピン６１ｃをヒンジプレート部６１ｂにカシメ固着した後、ユニクロメッキ等の所要の表面処理を施して形成される。そして、固定フランジ部６１ａに形成された位置決めピン穴６１ｄをヒンジ金具取付部の位置決め突起６３ｄに嵌合させて位置決めし、上下のネジ挿通孔にサラ小ネジ６８を挿通させて前枠側のネジ受容孔に締め込むことにより、前枠２０の上下の設定基準位置に固定される。
【００２５】
一方、裏セット盤側ヒンジ金具６２は、上下に延びる帯板状の固定フランジ部６２ａと、この固定フランジ部６２ａの下部が直角に折り曲げられて前方に水平に延びるヒンジプレート部６２ｂとを有し、ヒンジプレート部６２ｂにはヒンジピン６１ｃの軸外径よりもわずかに大きめの内径を有してヒンジピン６１ｃと嵌脱自在な軸受孔が形成されている。裏セット盤３０のヒンジ金具取付部には、固定フランジ部６２ａの外周を取り囲むように係合して裏セット盤側ヒンジ金具６２を位置決めする位置決めリブ６４ａおよびネジを受容する円筒状のネジボス６４ｂが形成される一方、固定フランジ部６２ａにはこのように位置決めされたときに裏セット盤側のネジボスと位置整合するサラ穴形態のネジ挿通孔が形成されている。
【００２６】
裏セット盤側ヒンジ金具６２は、前枠側ヒンジ金具６１と同様に、例えば板厚２．３ｍｍ程度の冷間圧延鋼板をプレス成型等により図示する所定形状に打ち抜きおよび曲げ成形した後、ユニクロメッキ等の所要の表面処理を施して形成される。そして、固定フランジ部６２ａを位置決めリブ６４ａに係合させて位置決めしネジ挿通孔にサラ小ネジ６８をねじ込んで締め込むことにより、裏セット盤３０の上下の設定位置に固定される。
【００２７】
そして上下の裏セット盤側ヒンジ金具６２の軸受孔を各々対応する前枠側ヒンジ金具６１のヒンジピン６１ｃに係合させることで、上下のヒンジ金具が相互に係合連結され、ヒンジ機構６０が形成される。なお、裏セット盤ヒンジ機構６０では、上下の裏セット盤側ヒンジ金具６２，６２の配設ピッチを、上下の前枠側ヒンジ金具６１，６１の配設ピッチよりも幾分狭く（下側の裏セット盤側ヒンジ金具の取付位置を幾分上方に）設定している。このため、上下２箇所のヒンジ機構を連結させる際に、まず上方のヒンジ機構６０Ｕに注目してヒンジピンに軸受孔を係合させ、次いで下方のヒンジ機構６０Ｌに注目してヒンジピンに軸受孔を係合させることで、１箇所ずつ容易に嵌合接続できるようになっている。
【００２８】
こうして上下の前枠側ヒンジ金具６１，６１と裏セット盤側ヒンジ金具６２，６２とが係合連結されると、裏セット盤４０はこれら上下のヒンジ機構６０Ｕ，６０Ｌにより前枠２０の後方に横開き開閉自在に支持される。
【００２９】
一方、遊技盤３０を前枠２０の後方に横開き開閉および着脱可能に支持する遊技盤ヒンジ機構５０は、前枠ヒンジ機構３および裏セット盤ヒンジ機構６０が設けられた側縁と反対の側縁側、すなわち、背面視における前枠２０および遊技盤３０の互いの左側縁側（正面視における右側縁側）であり、前枠２０の開放端側に設けられている。以下、図６〜図８の各図を交えて参照しながら、遊技盤ヒンジ機構５０について詳細に説明する。
【００３０】
ここで、図６は収容枠２１から遊技盤３０を取り外して斜め後方から見た遊技盤ヒンジ機構５０の斜視図、図７は収容枠２１に遊技盤３０を収容させた状態の遊技盤ヒンジ機構５０の背面図、図８は上方のヒンジ機構におけるヒンジピンとヒンジ溝との係合状態を主として示す側断面図、図９は収容枠側ヒンジ金具に遊技盤側ヒンジ金具を係脱させるときの作用を主として示す平面図である。
【００３１】
遊技盤ヒンジ機構５０は、上下一対のヒンジ機構５０Ｕ，５０Ｌからなり、それぞれ収容枠２１の左側縁の内側に設けられた収容枠側ヒンジ金具５１，５１、および化粧板３１の外周部に設けられた遊技盤側ヒンジ金具５２，５２のヒンジピン５１ｃ，５１ｃとヒンジ溝５２ｃ，５２ｃとの係脱により水平方向から着脱が可能、および係合状態で揺動開閉が可能なヒンジ機構である。
【００３２】
収容枠側ヒンジ金具５１は、上下に延びる帯板状の固定フランジ部５１ａと、この固定フランジ部の下部が直角に折り曲げられて後方に水平に延びるヒンジプレート部５１ｂとを有し、ヒンジプレート部５１ｂには、上方の収容枠ヒンジ金具では下方に向けて、下方の収容枠側ヒンジ金具では上方に向けて、相互に対向するようにヒンジピン５１ｃが突出してカシメ固着されている。固定フランジ部５１ａには、収容枠２１のヒンジ金具取付部に突出成形された位置決め突起５３ｄと嵌脱可能な位置決めピン孔５１ｄが形成されるとともに、その左右にサラ穴形態のネジ挿通孔が形成されている。
【００３３】
収容枠２１の左側縁側の上下には、上下の収容枠側ヒンジ金具５１，５１を止着するヒンジ金具取付部が形成されている。このうち、上方のヒンジ金具取付部では、段付き軸状に形成され位置決めピン穴５１ｄと嵌合して収容枠側ヒンジ金具５１を位置決め支持する位置決め突起５３ｄが前枠２０の前面側から後方に突出成形されるとともに、その左右には収容枠側ヒンジ金具のネジ挿通孔と位置整合し軸心にネジ受容孔を有する円筒状のネジボス５３ｂが突出成型されている。また、下方のヒンジ金具取付部では、支持面および前方の壁面が収容枠側ヒンジ金具５１の板厚に合わせて凹状に成型されるとともに、当該前方の壁面に位置決めピン穴５１ｄと嵌合して収容枠側ヒンジ金具５１を位置決めする位置決め突起５３ｄおよび収容枠側ヒンジ金具のネジ挿通孔と位置整合するネジ受容孔が形成されている。
【００３４】
収容枠側ヒンジ金具５１は、例えば板厚１．６ｍｍ程度の冷間圧延鋼板をプレス成型等により図示する所定形状に打ち抜きおよび曲げ成形し、ヒンジピン５１ｃをカシメ固着した後、ユニクロメッキ等の所要の表面処理を施して形成される。上下の収容枠側ヒンジ金具５１は、固定フランジ部５１ａに形成されたピン穴５１ｄをヒンジ金具取付部の位置決め突起５３ｄに嵌合させて位置決めし、左右のネジ挿通孔にサラ小ネジ５７を挿通させて前枠側のネジ受容孔に締め込むことにより、上下それぞれの設定位置に固定される。そして、このように収容枠側ヒンジ金具５１，５１が収容枠２１の上下設定位置に取着されると、上下のヒンジプレート部５１ｂ，５１ｂが所定間隔を隔てて上下平行に配設され、これらのヒンジプレート部から突出するヒンジピン５１ｃ，５１ｃが相対向して同一軸上に配設される。
【００３５】
一方、化粧板３１の外周部上下に取り付けられる遊技盤側ヒンジ金具５２，５２は、ともに側面視Ｌ字状をなし、これら上下の遊技盤側ヒンジ金具の中間に遊技盤に直交方向に立てた面に対して面対称（ミラーイメージ）に形成される。遊技盤側ヒンジ金具５２は、化粧板３１の背面に固定される固定フランジ部５２ａと、この固定フランジ部５２ａの上部または下部が直角に折り曲げられて化粧板３１の外周面と平行に延びるヒンジプレート５２ｂ、このヒンジプレート５２ｂに前後方向に延びて形成されたヒンジ溝５２ｃ、固定フランジ部５２ａに穿設されたネジ挿通孔などからなり、収容枠側ヒンジ金具５１と同様の鋼板を同様の加工手段により加工成形して形成される。
【００３６】
固定フランジ部５２ａおよびヒンジプレート部５２ｂは、遊技盤側ヒンジ金具５２が化粧板３１にネジ固定された取付状態において、平面視、化粧板３１から突出しないように形成されている。具体的には、遊技盤側ヒンジ金具５２の前後方向の外形寸法が化粧板３１の板厚と同一またはこれより幾分小さめに形成され、遊技盤側ヒンジ金具５２の前端角部には化粧板３１の前端角部と同様の円弧状の逃げ面５２ｒが形成されて、遊技盤側ヒンジ金具５２の取付状態において化粧板３１から前後および左右に突出しないようになっている。
【００３７】
ヒンジ溝５２ｃは、ヒンジプレート部５２ｂの後端から前方に延びる後端開放のＵ字溝状に形成されている。ヒンジプレート部５２ｂにおけるヒンジ溝５２ｃの形成位置は、ヒンジプレート部５２ｂの左端部からヒンジ溝５２ｃの中心までの距離が、収容枠２１における前方枠部の支持面からヒンジピン５１ｃの軸心までの距離よりも幾分小さめに設定され、溝幅は後端の開口部でヒンジピン５１ｃの直径よりも幾分大きく前端の軸受部でヒンジピン５１ｃの外径と同一半径の円弧状に形成されている。
【００３８】
遊技盤３０の左側縁側の上下には、遊技盤側ヒンジ金具５２を収容する金具収容部３２が形成されている。すなわち、遊技盤の裏面には、遊技盤側ヒンジ金具の固定フランジ部５２ａを収容する固定収容部３２ａが形成され、遊技盤３０の外周角部には遊技盤側ヒンジ金具のヒンジプレート部５２ｂを収容するプレート収容部３２ｂが切り欠き成形されている。
【００３９】
このうち固定収容部３２ａは、遊技盤側ヒンジ金具５２の板厚と同一またはこれより幾分大きめの切り込み深さで、固定フランジ部５２ａの形状に合わせて化粧板３１の裏面をルータ加工することにより形成され、この固定収容部３２ａに固定フランジ部５２ａをネジ固定したときに、固定フランジ部５２ａを収容して遊技盤側ヒンジ金具５２が化粧板３１の裏面から後方に突出しないようになっている。また、このように化粧板３１の裏面側に固定収容部３２ａを設け、盤面と直交方向にねじ止めすることにより、積層合板の積層方向と直交方向にネジを打ち込んで遊技盤側ヒンジ金具５２を強固に固定することができる。なお、図示するナベ頭形態のネジ５８に代えてサラ頭形態のネジを用いることで化粧板３１の裏面側への突出量をさらに低減させることも可能である。
【００４０】
上下のプレート収容部３２ｂは、ヒンジプレート部５２ｂが配設される化粧板３１の上下の外周部を、上下ヒンジピン５１ｃの突出高さよりも幾分大きめの切り込み深さでルータ加工することにより形成され、遊技盤ヒンジ金具５２を配置したときにヒンジプレート部５２ｂをこのプレート収容部３２ｂ内に収容可能に構成されている。
【００４１】
遊技盤側ヒンジ金具５２は、ヒンジプレート部５２ｂの左端角部を化粧板３１の左端角部（遊技盤の外形輪郭線の交点）に合わせ、上下それぞれのヒンジプレート部５２ｂを化粧板３１の上面または下面に合わせて配設し、固定フランジ部５２ａの裏面側からネジ５８を固定収容部３２ａにねじ込むことにより、遊技盤３０の左角部上下に固定される。そしてこのように遊技盤側ヒンジ金具５２が取り付けられると、遊技盤側ヒンジ金具５２の固定フランジ部５２ａが固定収容部３２ａに収容され、ヒンジプレート部５２ｂがプレート収容部３２ｂに収容されて、遊技盤ヒンジ金具５２が遊技盤３０から前後および外周に突出しないように配設される。またヒンジプレート部５２ｂとプレート収容部３２ｂの切り欠き面との間に、ヒンジピン５１ｃの頭部を受容可能なピン収容空間が形成される。
【００４２】
こうして上下の遊技盤側ヒンジ金具５２，５２が化粧板３１に取着されると、上下のヒンジプレート部５２ｂ，５２ｂは、これらの外面間隔が上下の収容枠側ヒンジ金具におけるヒンジプレート部５１ｂ，５１ｂの内面間隔よりも幾分小さめの間隔を有して上下平行に配設され、上下のヒンジ溝５２ｃ，５２ｃが平面視において重なって配設される。
【００４３】
そして、このようにして上下の収容枠側ヒンジ金具５１，５１が収容枠２１の左側縁の内側に取り付けられ、上下の遊技盤側ヒンジ金具５２，５２が化粧板３１の外周部に取り付けられると、図９に二点鎖線で示すように、収容枠２１に対して遊技盤３０を略直交させた角度姿勢でヒンジピン５１ｃに対してヒンジ溝５２ｃを係脱させることができ、係合状態では上下のヒンジピン５１ｃ，５１ｃが形成する揺動軸まわりに相対揺動させることができる。
【００４４】
ここで前述したように、遊技盤ヒンジ機構５０は前枠２０の開放端部側（開放された前枠２０の前端側）の視認しやすい位置に配設されている。そして下側のヒンジ機構５０Ｌでは収容枠側ヒンジ金具５１が収容枠２１の支持面に沿って配設され、遊技盤側ヒンジ金具５２は化粧板３１の下面に沿って配設されている。また、ヒンジプレート部５２ｂの左端部からヒンジ溝５２ｃの中心までの距離は、収容枠２１における前方枠部の支持面からヒンジピン５１ｃの軸心までの距離よりも幾分小さめに設定されている。
【００４５】
このため、収容枠側ヒンジ金具５１と遊技盤側ヒンジ金具５２とを係脱させる際には、視認および係脱操作が容易な収容枠２１の開放端側に遊技盤３０をほぼ直交させた配設姿勢でヒンジプレート部を収容枠２１の支持面に載置して荷重を支持させ、化粧板３１の左側端面を収容枠２１の前方枠部に当接させた状態で、遊技盤３０をそのまま収容枠２１の左方向に水平にスライド移動させることで、ヒンジピン５１ｃにヒンジ溝５２ｃを係合させることができる。従って、遊技盤３０の荷重を支持しながら視認し難い奥部のヒンジピンとピン孔との上下位置合わせを行うような煩雑な作業を行う必要がなく、かつヒンジピン５１ｃに対するヒンジ溝５２ｃの位置合わせを行う必要もないため、容易に遊技盤３０を装着することができる。
【００４６】
そして、ヒンジピン５１ｃにヒンジ溝５２ｃを係合させた後は、遊技盤３０の右辺側を前方に押圧して揺動させることで、ヒンジピン５１ｃとヒンジ溝５２ｃとの係合状態を確保しつつ上下のヒンジピン５１ｃ，５１ｃを軸とする揺動軸のまわりに遊技盤３０を回動させて収容枠２１に開閉することができる。これにより、遊技盤３０が収容枠２１に後方に横開き開閉および着脱可能に収容され、比較的重量の遊技盤であっても収容枠２１の後方から容易に着脱させることができる。また、遊技盤側ヒンジ金具５２が化粧板３１の外形輪郭線から外周方向に突出しない外形サイズ内に配設されるため、遊技盤３０を単体で取り扱う時に周辺部材に引っ掛けて当該周辺部材に損傷を与えたりたり、遊技盤ヒンジ金具５２を変形させてしまうおそれを低減することができる。
【００４７】
さらに、本構成の遊技盤ヒンジ機構５０では、一旦ヒンジピン５１ｃにヒンジ溝５２ｃを係合させて閉止方向に揺動させると、以降ヒンジピン５１ｃとヒンジ溝５２ｃとの係合が外れることがない。このため着脱角度位置〜閉止角度位置の間で遊技盤３０を支えることなく自由に揺動開閉し、任意の開放角度位置で保持させることができる。また、遊技盤３０を収容枠２１に閉止させた状態では、前後方向に配向されたヒンジ溝５２ｃとヒンジピン５１ｃとの係合によって左右方向に作用する外力に対抗し、またヒンジ溝前端の軸受部とヒンジピン５１ｃとの係合により遊技盤３０の前方から作用する外力に対して抗力が高い構成になっている。
【００４８】
以上では、収容枠側ヒンジ金具５１にヒンジピンを設け、遊技盤側ヒンジ金具５２にヒンジ溝を形成した例を示したが、ヒンジピンとヒンジ溝の配設位置は逆であってもよい。例えば、遊技盤側ヒンジ金具５２に上下内向きに突出するヒンジピンを設けてプレート収容部３２ｂ内に収容させる一方、収容枠側ヒンジ金具５１にヒンジピンと係脱可能なヒンジ溝を形成し、遊技盤側ヒンジ金具５２のヒンジプレート部５２ｂと化粧板３１との間のプレート収容部３２ｂに収容枠側ヒンジ金具のヒンジプレート部５１ｂを進入させて遊技盤側のヒンジピンを収容枠側のヒンジ溝に係合させるように構成することもできる。このような構成によれば、ヒンジプレート部５２ｂに溝を有しないことに加えてヒンジピンがプレート収容部３２ｂ内に配設されるため、外力に対してさらに損傷を受けにくい遊技盤ヒンジ機構を構成することができる。
【００４９】
遊技盤ヒンジ機構５０が設けられた側縁と反対側、すなわち収容枠２１における右側縁の上下中央部には、上記のようにヒンジ係合され収容枠２１に閉止された遊技盤３０を後方に付勢する開放補助部材５５が付設されており、遊技盤３０の開放操作を容易に行えるようになっている。図１０に開放補助部材５５の取付部近傍の斜視図を、図１１に遊技盤３０を開閉する際の開放補助部材５５の作用を示す平断面図を示す。
【００５０】
開放補助部材５５は、上下所定間隔をおいてネジ挿通孔が穿設された矩形フランジ状の固定部５５ａ、固定部５５ａの左側縁が直角に折り曲げられて前方に延びる第１側辺部５５ｂ、第１側辺部５５ｂの前端側が前方に凸の半円弧状に折り折り返されたアーチ部５５ｃ、アーチ部５５ｃと繋がって第１側辺部と平行に後方に延びる第２側辺部５５ｄ、第２側辺部の後部が第１側辺部と反対側の斜め後方に折り曲げられた付勢片部５５ｅなどからなり、例えば板厚０．５〜１ｍｍ程度のステンレス鋼板を打ち抜きおよびプレス成型して図示形状に成形して形成される。
【００５１】
収容枠２１には、右側方の側枠部が開放補助部材５５の高さ寸法に合わせて切りか欠かれ固定部５５ａを取着する固定支持部２１ａが形成され、その前方にネジを受容するネジボスが上下所定間隔をおいて形成されるとともに、側枠部の内側の壁面が開放補助部材５５の板厚および第１側辺部５５ｂの形状に合わせてザグリ成型され第１側辺受容部２１ｂが設けられている。また化粧板３１の前面を支持する前方枠部には、付勢片部５５ｅを収容枠２１の内側に突出させる切り欠き部２１ｅが形成されている。
【００５２】
開放補助部材５５は、固定部５５ａを固定支持部２１ａに支持させ、固定部に形成されたネジ挿通孔にネジ５９を通してネジボスに螺合締結することで、側枠部の設定位置に固定される。開放補助部材５５がネジ固定されると、第１側辺部５５ｂが側枠部の内側にザグリ成型された第１側辺受容部２１ｂに収容されて側枠部の壁面から内側に突出することなく配設され、アーチ部５５ｃおよび第２側辺部５５ｄが収容枠２１の側枠部と前方枠部との間の溝部に収容され、付勢片部５５ｅが切り欠き部２１ｅから収容枠２１の内側に斜め後方に突出して、その先端側が前後に揺動変位可能に配設される。
【００５３】
ここで、第１側辺部５５ｂおよび第２側辺部５５ｄの外面間隔は、収容枠２１における側枠部と前方枠部との間の溝幅よりも小さく設定されており、付勢片部５５ｅが前方に押圧されたときに、第１側辺部５５ｂから付勢辺部５５ｅの先端に至る各部が弾性変形して弾性力を蓄積する。また、このように第１辺部５５ｂと押圧辺部５５ｅとの間にアーチ部５５ｃを設けることにより、各構成部材の位置制度や形状精度のばらつきの影響を受けにくく、かつ広い範囲に弾性力を蓄積させることで安定した付勢力を発生させることができる。なお、付勢片部５５ｅの先端部は前方に向けて緩いＲ状に形成されており、化粧板３１の前面と滑らかに係合し得るようになっている。
【００５４】
このため、遊技盤ヒンジ機構５０に支持させた遊技盤３０を閉止方向に揺動させると、化粧板３１の前面が前方枠部の支持面と平行になる直前の相対角度位置で、化粧板３１の前面が枠内に斜め後方に突出する付勢片部５５ｅの先端部と滑らかに係合する（図１１中の二点鎖線を参照）。この接触状態から化粧板３１の後面を前方に押圧して遊技盤３０をさらに閉止方向に揺動させると、開放補助部材５５の第１側辺部５５ｂ〜付勢片部５５ｅの先端に至る各部が弾性変形して付勢片部５５ｅの先端側が前方に揺動変位し、化粧板３１の前面が前方枠部に当接する閉鎖角度位置では、付勢片部５５ｅが前方枠部に形成された切り欠き部２１ｅに収容されて前方枠部と化粧板３１との間に挟持されるように配設される（図１１中の実線を参照）。
【００５５】
そして、このように開放補助部材５５を弾性変形させた状態で、収容枠２１の周辺各部に設けられた閉鎖クランプ２３を回動操作し、クランプレバー２３ａを化粧板３１の背面に係合させることで、遊技盤３０が収容枠２１に収容された閉鎖姿勢で収容保持される。
【００５６】
閉鎖クランプ２３は、化粧板３１と係合する前面側に半球状の突起部をエンボス成型したクランプレバー２３ａ、前枠２０に後方に突出して植設されクランプレバーを鉛直面内に回動自在に支持する支軸２３ｂ、支軸２３ｂに支持されたクランプレバー２３ａを前方に付勢するコイルバネ２３ｃ、支軸後端に螺着されてコイルバネ２３ｃを圧縮保持させる袋ナット２３ｄなどにより構成される。
【００５７】
この閉鎖クランプ２３では、レバー側部に曲げ起こされた指掛け部を利用してクランプレバー２３ａを回動操作することにより、クランプレバー２３ａを化粧板３１の後面に係脱させ、コイルバネ２３ｃの弾性を利用して化粧板３１の後面を弾性的に押圧し、化粧板３１の板厚のばらつきに拘わらず遊技盤３０の固定を行えるようになっている。本実施例ではこのような閉鎖クランプ２３を、遊技盤ヒンジ機構５０が設けられた左側縁側に１箇所、開放補助機構５５が設けられた右側縁側の上下に２箇所設け、さらに収容枠２１の下部中央にコイルバネを有しない形態の閉鎖クランプ２３′を１箇所設けた例を示している。
【００５８】
一方、上記のように収容枠２１に閉鎖姿勢で収容保持された遊技盤３０の閉鎖クランプ２３を解放方向に回動操作して閉止を解除し、化粧板３１を前方に押圧する押圧力を解除すると、開放補助部材５５の各部に蓄えられていた弾性力により開放補助部材５５が弾性変形前の形状に自己復帰し、付勢片部５５ｅの先端部が化粧板３１の前面を後方に押圧して遊技盤３０を開放方向に揺動させる。
【００５９】
これにより、化粧板３１の右辺側が収容枠２１から浮き上がって配設される。このため、作業者は浮き上がった化粧板３１の右辺部に指を掛けて容易に遊技盤３０を揺動開放させることができる。またパチンコ機ＰＭでは、開放補助部材５５と係脱する係合部位の直上部にあたる化粧板３１の裏面側に、次述する遊技盤開放保持機構７０の受け金具７２を設け、この受け金具７２に指掛け容易なフックプレート部７２ｃを形成している（図３、図４および図１３等を参照）。このため、本構成のパチンコ機ＰＭでは、このフックプレート部７２ｃに指を掛けて引き出すことで遊技盤３０を容易に揺動開放させることができ、かつ前後方向に形成されたヒンジ溝５２ｃとヒンジピン５１ｃとの係合により、着脱角度位置〜閉止角度位置の間でヒンジ係合が外れることなく任意の開放角度位置に保持できるようになっている。
【００６０】
なお、実施例では、開放補助部材５５を収容枠２１の右側縁中央部に一箇所設けた例を示したが、遊技盤ヒンジ機構５０の揺動軸から離れた位置に配設するものであればよく、例えば右側縁の上方もしくは下方に一箇所設け設け、あるいは上下に複数箇所設け、または上下の枠部に設ける構成としてもよい。
【００６１】
さて、パチンコ機ＰＭには、以上のようにして前枠２０が外枠１０の前方に開放され、裏セット盤４０が前枠２０の後方に開放され、さらに遊技盤３０が前枠２０の後方に開放された遊技盤開放状態において、遊技盤３０を開放姿勢に保持させる遊技盤開放保持機構が設けられている。以下、図１２〜図１６を参照して第１実施例の遊技盤開放保持機構７０について説明する。
【００６２】
ここで、図１２は遊技盤開放保持機構７０により遊技盤３０が開放姿勢に保持された状態を示す平面図、図１３は遊技盤開放保持機構７０の主要部を示す分解斜視図、図１４は図１２中の矢印ＸＩＶ方向から見た遊技盤開放保持機構７０の矢視図、図１５は図１２中の矢印ＸＶ方向から見た遊技盤開放保持機構７０の矢視図、図１６は遊技盤開放保持機構７０の平面図（部分断面図）を示し、図１４〜図１６の各図における（ａ）図および（ｂ）図は、それぞれ係合前および係合後の状態を示している。
【００６３】
遊技盤開放保持機構７０は、相互に係合可能な裏セット盤４０側の係合軸７１と遊技盤側３０の受け金具７２とを主体として構成され、前枠２０、裏セット盤４０および遊技盤３０を開放させた遊技盤開放状態で、係合軸７１を受け金具７２に係合させることにより、遊技盤３０を開放姿勢で係止保持するように構成される。
【００６４】
裏セット盤４０側の係合軸７１は、中実シャフト状の軸部７１ｂ、軸部７１ｂの中間部に打ち込まれて軸直交の外周方向に突出する規制ピン７１ｃ、軸部７１ｂの後端に固着され規制ピン７１ｃと直交する外周方向に延びる舌片状の操作レバー部７１ｄ、軸部の前端側が先細のテーパ状に成形された遊技盤係合部７１ｅなどからなり、所定線径の鋼棒を旋削または転造して遊技盤係合部７１ｅを形成し規制ピン７１ｃおよび操作レバー部７１ｄを固着したうえ、所要の表面処理を施して形成される。
【００６５】
裏セット盤４０の右枠杆４７には、遊技盤側の受け金具７２の配設高さと整合する高さ位置に係合軸取付部４８が形成されている。係合軸取付部４８では、右枠杆４７の外側の側面が凹設されて係合軸７１の収容スペースが設けられ、その前方にスライドガイド４８ａ、後方にスライド規制片４８ｄが一体成型されている。
【００６６】
スライドガイド４８ａには、軸部７１ｂの外形と同一若しくはわずかに小さめの内径を有する支軸部４８ｂが前後に貫通して形成され、係合軸７１をスライドガイド４８ａの後方から嵌脱自在に受容するとともに、受容した係合軸７１を軸部７１ｂの延びるスラスト方向（前後方向）にスライド可能、ラジアル方向に回動可能に支持する。支軸部４８ｂの外側の支持壁面は、規制ピン７１ｃのピン径よりも幾分大きめの溝幅で切り離されて前後に延びるスリット溝４８ｃが形成されており、支軸部４８ｂに受容した係合軸の規制ピン７１ｃが、このスリット溝４８ｃを通って前後に移動可能になっている。
【００６７】
スライドガイド４８ａの前後方向の寸法は、図１４の（ａ）図および（ｂ）図からも明らかなように、係合軸７１における規制ピン７１ｃ〜操作レバー部７１ｄの間隔と略同一に設定されており、スリット溝４８ｃを通して規制ピン７１ｃを前方に移動させると、操作レバー部７１ｄがスライドガイド４８ａの後端面に当接したときに、規制ピン７１ｃがスリット溝４８ｃを抜けてスライドガイド４８ａの前方に位置し、その位置で操作レバー部７１ｄを回動させると規制ピン７１ｃがスライドガイド４８ａの前端面に沿って回動するようになっている。
【００６８】
換言すれば、規制ピン７１ｃがスライドガイド４８ａの前端面と係合状態にあるときには、係合軸７１はラジアル方向の回動のみが許容されて前後方向への移動および軸直交方向への移動が規制され、例えば前方から押圧力を受けても係合軸７１がスライドガイド４８ａ内に引っ込むようなことがない。
【００６９】
また、スライド規制片４８ｄは、規制ピン７１ｃがスライドガイド４８ａの後方に位置した状態で回動され、規制ピン７１ｃがスライドガイド４８ａの後端面と係合状態にあるときの、操作レバー部７１ｄの後端位置に合わせて形成されており、操作レバー部７１ｄが下垂された格納位置では、スライドガイド４８ａの後端面およびスライド規制片４８ｄの前面が係合軸７１の規制ピン７１ｃと操作レバー部７１ｄとを挟んで、係合軸７１が前方に突出したり後方に脱落しないようになっている。
【００７０】
一方、遊技盤側３０の受け金具７２は、化粧板３１の裏面にねじ止め可能なネジ挿通孔を有する固定辺部７２ａ、後方に延びる支持脚部７２ｂ、支持脚部７２ｂと繋がって左右内側に延びるとともに端部が前方に曲折されて指掛け容易に形成されたフックプレート部７２ｃ、支持脚部７２ｂに形成された開口部７２ｄ、開口部７２ｄに上下の固定辺部７２ａおよび支持脚部７２ｂを繋いで斜面状に形成された係合受け部７２ｅなどからなり、例えば冷間圧延鋼板等をプレス成形および溶接加工して形成し、あるいはアルミ合金等をダイキャスト成型して形成される。
【００７１】
化粧板３１の裏面側には、後端角部が面取り加工されて斜面状の逃げ面３８が形成されている。逃げ面３８は、裏セット盤４０側の係合軸７１の高さ位置を基準として軸部７１ｂの外径よりも大きな高さ幅を有し、係合姿勢において斜めに進入してくる係合軸７１と当接することなく受容し得る切り込み深さで形成されている。逃げ面３８の上下には平坦な取付面が形成され、ここに受け金具７２の上下の固定辺部７２ａがネジ固定されて、受け金具７２が化粧板３１の背面右側端側に取り付けられる。
【００７２】
なお、受け金具７２における開口部７２ｄの高さ幅は、逃げ面３８の高さ幅と同様に係合軸７１の軸部外径よりも大きく、先端先細のテーパ状に形成された遊技盤係合部７１ｅを確実に受容して係合可能に形成されている。また、係合受け部７２ｅの傾斜角は、この開口部７２ｄに係合軸７１を嵌入したときの遊技盤係合部７１ｅの配設角度に合わせて形成されており、開口部７２ｄに係合軸７１を嵌入すると、遊技盤係合部７１ｅの先端部が開口部７２ｄの内側に突出し、遊技盤係合部７１ｅのテーパ面が係合受け部７２ｅと係合するようになっている。
【００７３】
以上のように各部が構成される遊技盤開放保持機構７０にあって、この遊技盤開放保持機構７０を利用して遊技盤３０を開放姿勢に係止保持させるには、まず図１４〜図１６の各（ａ）図に示すように、係合軸７１の先端部がスライドガイド４８ａの支軸部４８ｂ内に格納されて操作レバー部７１ｄがスライド規制片４８ｄに当接した格納状態で、前枠２０および遊技盤３０の開放角度を調整し、化粧板３１の前面側の角部を裏セット盤４１の右枠杆４７に当接させて、遊技盤３０側の受け金具７２と裏セット盤４０側の係合軸７１との位置合わせを行う。
【００７４】
次いで、係合軸７１の操作レバー部７１ｄを回動操作して、図１５の  （ａ）図中に実線で示す角度位置から二点鎖線で示す角度位置、すなわち規制ピン７１ｃがスライド溝４８ｃの後方で同一線上に並ぶ角度位置に合わせ、操作レバー部７１ｄを前方に押圧する。これにより規制ピン７１ｃがスライド溝４８ｃを通って前方に移動し、操作レバー部７１ｄがスライドガイド４８ａの後端面に当接するまでスライド移動されると、規制ピン７１ｃはスリット溝４８ｃを抜けてスライドガイド４８ａの前方に配置される。またこのとき、係合軸７１の前端部がスライドガイド４８ａの支軸部４８ｂから前方に突出して逃げ面３８の形成領域を通り、遊技盤係合部７１ｅが開口部７２ｄの内側に突出して係合受け部７２ｅと係合する。
【００７５】
そこで、係合軸７１の操作レバー部７１ｄを再び回動操作して、係合軸７１をさらに時計回りに回動させ、図１４〜図１６の各（ｂ）図に示すように、規制ピン７１ｃが上方を向く角度姿勢に配置する。このときスライドガイドの前方では係止ピン７１ｃがスライドガイド４８ａの前端面と係合しながら上動し、スライドガイドの後方では操作レバー部７１ｄがスライドガイド４８ａの後端面と係合しながら回動する。そして規制ピン７１ｃが上方を向く角度姿勢まで回動されると、係合軸７１は前後方向への移動および軸直交方向への移動が規制され、前方または側方から押圧力を受けても突出姿勢が変移するようなことがない。
【００７６】
また、パチンコ機は、固定保持用の外枠１０が遊技施設の遊技島ＰＩ（図４を参照）に釘打ち固定される際に、設定基準で定められた所定の後傾角度（一般的には１度程度）になるように調整されて固定設置されており、開放された前枠２０や裏セット盤４０には、外枠方向に向けて緩い付勢力が作用している。
【００７７】
このため、上記のように係合軸７１を突出させて、係合軸７１と受け金具７２とを係合させると、遊技盤係合部７１ｅが開口部７２ｄ内で係合受け部７２ｅと係合した係合状態に保持され、遊技盤３０が開放姿勢に係止保持される。この開放姿勢では、遊技盤３０が前枠２０の開放端側と裏セット盤４０の開放端側との間を繋いで支持され、遊技盤３０の後面側が斜め前方に開いた状態で配設される。また遊技盤３０は左右両方の側縁が前枠側の遊技盤ヒンジ機構６０と裏セット盤側の遊技盤開放保持機構７０とに支持されて安定した開放姿勢に保持される。
【００７８】
これにより、保守作業を行おうとする作業者は、前枠２０や裏セット盤４０の存在を気にするまでもなく、遊技盤３０の後面側全域について容易に保守作業を行えるほか、当該パチンコ機ＰＭの右側に隣接するパチンコ機の遊技者用の椅子に腰掛けて楽な作業姿勢で保守作業を行うことができる。
【００７９】
なお、保守作業が終了して遊技盤３０の開放保持を解除する際には、上述した開放保持操作と逆に、図１４〜図１６の各（ｂ）図から各（ａ）図に向けた格納操作を行えばよい。すなわち、規制ピン７１ｃが上方を向いた角度姿勢から操作レバー部７１ｄを背面視における反時計回りに回動操作して、規制ピン７１ｃがスライド溝４８ｃの前方で同一線上に並ぶ角度位置に合わせ、操作レバー部７１ｄを後方に押圧する。これにより規制ピン７１ｃがスライド溝４８ｃを通って後方に移動する。
【００８０】
そして係合軸７１の前端部がスライドガイド４８ａの支軸部４８ｂ内に収容され、規制ピン７１ｃがスライド溝４８ｃを抜けてスライドガイド４８ａの後端側まで移動したところで、係合軸７１の操作レバー部７１ｄを再び反時計回りに回動操作して係合軸７１を回動させ、図１４〜図１６の各（ａ）図に示すように、操作レバー部７１ｄがスライド規制片４８ｄに当接する格納状態に配置する。この格納状態では、係止ピン７１ｃがスライドガイド４８ａの後端面と係合し、操作レバー部７１ｄがスライド規制片４８ｄと係合して前後方向の移動が規制され、係合軸７１が前方に突出したり後方に脱落したりすることがない。
【００８１】
従って、以上説明したような遊技盤開放保持機構７０によれば、遊技盤後面側の保守作業を容易にかつ安定した作業姿勢で行うことができ、作業性の良好な遊技機を提供することができる。
【００８２】
次に、図１７および図１８を参照して第２実施例の遊技盤開放保持機構１７０について説明する。ここで、図１７は上述した図１６（ｂ）に対応して遊技盤開放保持機構１７０により遊技盤３０が開放姿勢に保持された状態を示す平面図、図１８は図１７中の矢印ＸＶＩＩＩ方向から見た遊技盤開放保持機構１７０の矢視図である。
【００８３】
この遊技盤開放保持機構１７０は、相互に係合可能な裏セット盤４０側の係合レバー１７１と遊技盤側３０の受け金具１７２とを主体として構成され、前枠２０、裏セット盤４０および遊技盤３０を開放させた遊技盤開放状態で、係合レバー１７１を受け金具１７２に係合させることにより、遊技盤３０を開放姿勢に係止保持するように構成される。
【００８４】
裏セット盤４０側の係合レバー１７１は、開放姿勢における化粧板３１と裏セット盤４０との相対角度に合わせてに屈曲成形された帯板状のアーム部１７１ａ、アーム部の基端側に穿設されたネジ挿通孔、アーム部の先端側に切り欠き成形されたフック部１７１ｃ、アーム部の上縁に曲げ成形されたつまみ部１７１ｍなどからなり、所定板厚のステンレス鋼板や冷間圧延鋼板等の板金材料を打ち抜きおよび曲げ成形して形成される。
【００８５】
裏セット盤４０の右枠杆４７には、前述したと同様に右枠杆の外周面が凹設されて係合アームを収容可能なアーム取付部１４８が形成され、ここにネジ１７８を受容する円筒状のネジボス１４８ｂが一体成型されている。係合レバー１７１は、アーム部基端側のネジ挿通孔にネジ１７８を通してネジボス１４８ｂにネジ止めすることにより取着され、ネジ１７８の軸まわりに上下揺動可能に枢着される。また、裏セット盤４０における右枠杆４７の下方には、化粧板３１の下端の高さ位置に合わせて、平板状の支持金具１７３が裏セット盤４０の前面側に出没可能に組み付けられており、この支持金具１７３を裏セット盤４０の前面側に突出させて配置し、遊技盤３０を開放させたときに化粧板３１の下端面を支持可能に構成されている。
【００８６】
一方、受け金具１７２は、基盤となる固定プレート部１７２ａ、固定プレート部１７２ａに穿設された上下のネジ挿通孔、固定プレート部１７２ａの左端側の一部が係合レバー１７１の板厚に合わせてクランク状に曲げ起こされ、係合レバーのフック部１７１ｃと係脱可能なフック受け部１７２ｃ等からなり、上記係合レバーと同様の板金材料を用いて同様の加工手段により形成される。受け金具１７２は、係合レバー１７１の配設高さ位置と整合する化粧板後面側の所定位置にネジ１７９によりネジ固定され、遊技盤開放状態において係合レバー１７１のフック部１７１ｃと、受け金具１７２のフック受け部１７２ｃとが係脱可能に配設される。
【００８７】
このように構成される遊技盤開放保持機構１７０を利用して遊技盤３０を開放姿勢に係止保持させるには、図１８中に二点鎖線で示すようなフック部１７１ｃがアーム取付部１４８に収容された格納状態から、一旦アーム部１７１ａを上方に起仰させて、フック部１７１ｃを水平位置よりも上方に待避させておく。また右枠杆下方の支持金具１７３を裏セット盤４０の前面側に突出させて化粧板３１の下端面を支持可能に配置しておく。そして、前枠２０および遊技盤３０の開放角度を調整して化粧板３１の開放端側の下面を支持金具１７３に載置して荷重を支持させ、化粧板３１の前面側の角部を裏セット盤４１の右枠杆４７に当接させて、受け金具１７２と係合レバー１７１との位置合わせを行う。
【００８８】
次いで、係合レバー１７１のつまみ部１７１ｍを利用してアーム部１７１を倒伏方向に揺動させ、フック部１７１ｃを受け金具のフック受け部１７２ｃに係合させる。フック部１７１ｃとフック受け部１７２ｃとが係合されると、フック部１７１ｃの溝面とフック受け部１７２ｃの溝係合面（化粧板３１に直交する立設辺の左右面）との係合により、前枠２０が開閉する方向への揺動が規制され、フック溝を挟む前後のアーム部１７１ａとフック受け部１７２ｃおよび固定プレート部１７２ａとの面係合により、遊技盤３０が開閉する方向への揺動が規制される。
【００８９】
このため、係合レバー１７１と受け金具１７２とを係合させると、遊技盤３０と裏セット盤４０とが係合連結され、遊技盤３０が図４に示したと同様の開放姿勢に係止保持される。開放姿勢では、遊技盤３０が前枠２０と裏セット盤４０との間を繋いで三角形の連結構造を形成し、遊技盤３０の後面側が斜め前方に開いた状態で配設される。また遊技盤３０は左側縁側が遊技盤ヒンジ機構６０に支持され、右側縁が支持金具１７３に支持されて安定した開放姿勢に保持される。
【００９０】
これにより、保守作業を行おうとする作業者は、前枠２０や裏セット盤４０の存在を気にすることなく、遊技盤３０の後面側全域について容易に保守作業を行うことができ、またパチンコ機ＰＭの右側に隣接するパチンコ機の遊技者用の椅子に腰掛けて楽な作業姿勢で保守作業を行うことができる。一方、保守作業が終了して遊技盤３０の開放保持を解除する際には、上記した開放保持操作と逆の格納操作を行えばよい。なおこの格納操作は当業者であれば容易に理解し得るためここでは説明を省略する。
【００９１】
従って、以上説明したような遊技盤開放保持機構１７０においても、前述した遊技盤開放保持機構７０と同様に遊技盤後面側の保守作業を容易にかつ安定した作業姿勢で行うことができ、作業性の良好な遊技機を提供することができる。また本構成の遊技盤開放保持機構１７０によれば、極めて簡明かつ低コストの構成でありながら遊技盤３０と裏セット盤４０との連結保持力が強く、作業者が保守作業中に誤って前枠２０に接触し前枠２０を開放方向に揺動させるような力が作用した場合であっても、係合状態を維持して遊技盤３０を開放姿勢に保持させることができる。
【００９２】
次に、第３実施例の遊技盤開放保持機構２７０について、図１９を参照して説明する。図１９は遊技盤開放保持機構２７０により遊技盤３０が開放姿勢に保持された状態を示す図面であり、図１４（ｂ）と同様に図１２中の矢印ＸＩＶ方向から見た矢視図である。
【００９３】
遊技盤開放保持機構２７０は、前枠２０、裏セット盤４０および遊技盤３０を開放させた遊技盤開放状態で、遊技盤３０および裏セット盤４０と相互に係脱可能な係止スプリング２７１を主体として構成され、係止スプリング２７１の両端のフック部を遊技盤３０と裏セット盤４０との間に掛け渡して係合させることにより、遊技盤３０を開放姿勢で係止保持可能するように構成される。
【００９４】
係止スプリング２７１は、つるまき型の引っ張りコイルバネであり、コイル部２７１ａの両端にフック部２７１ｂ，２７１ｃを有している。裏セット盤４０の右枠杆４７には外周面側が凹設されてスプリング収容部２４８が設けられ、ここに一方のフック部２７１ｂを鉛直面内に揺動可能に係止するバネ係止部２４８ｂが形成されている。スプリング収容部２４８の下部には、図示省略するバネ収容掛止部が形成されており、常には、係止スプリング２７１の他方のフック部２７１ｃを掛止して係止スプリング２７１を縦向きの収容姿勢で収容保持可能になっている。
【００９５】
一方、遊技盤３０側では、化粧板３１の裏面に受け金具２７２が図示省略するネジ等により固定され、この受け金具２７２に上記他方のフック部２７１ｃを係脱可能に掛止するバネ掛止部２７２ｃが切り起こし成形されている。また化粧板３１には、前述した逃げ面３８と同様に、後端角部が面取り加工されて斜面状の逃げ面３８′が形成されており、係止スプリングのコイル部２７１ａが引っかかることなく張り渡されるようになっている。
【００９６】
このような遊技盤開放保持機構２７０では、遊技盤３０を開放姿勢に係止保持させるには、まず前枠２０および遊技盤３０の開放角度を調整して化粧板３１の前面角部を裏セット盤４１の右枠杆４７に当接させて受け金具１７２の位置合わせを行い、バネ収容掛止部に掛止されたフック部２７１ｃを外して揺動させこのフック部２７１を遊技盤側のバネ掛止部２７２ｃに掛止させる。
【００９７】
これにより、遊技盤３０と裏セット盤４０とが係止スプリング２７１を介して係合連結され、遊技盤３０が図４に示したと同様の開放姿勢に係止保持される。開放姿勢では、遊技盤３０が前枠２０と裏セット盤４０との間を繋いで三角形の連結構造を形成し、遊技盤３０の後面側が斜め前方に開いた状態で配設される。このため、保守作業を行おうとする作業者は、前枠２０や裏セット盤４０の存在を気にすることなく、遊技盤３０の後面側全域について容易に保守作業を行うことができ、またパチンコ機ＰＭの右側に隣接するパチンコ機の遊技者用の椅子に腰掛けて楽な作業姿勢で保守作業を行うことができる。一方、保守作業が終了して遊技盤３０の開放保持を解除する際には、上記した開放保持操作と逆の格納操作を行えばよい。
【００９８】
従って、以上説明したような遊技盤開放保持機構２７０においても、前述した遊技盤開放保持機構７０，１７０と同様に遊技盤後面側の保守作業を容易にかつ安定した作業姿勢で行うことができ、作業性の良好な遊技機を提供することができる。また本構成の遊技盤開放保持機構２７０によれば、遊技盤３０と裏セット盤４０とが弾性的に係合連結されるため、例えば作業者が保守作業中に誤って前枠２０にぶつかったような場合であっても、受けた衝撃力をコイル部２７１ａで吸収し、遊技盤開放保持機構２７０やその周辺部材に損傷を生じさせることなく係合状態を維持して遊技盤３０を開放姿勢に保持させることができる。
【００９９】
なお、遊技盤開放保持機構２７０では、前述した遊技盤開放保持機構１７０において例示した支持金具１７３（図１１を参照）を裏セット盤４０の前面下部に設け、遊技盤３０を開放させたときに化粧板３１の下端面を支持させるように構成することも好ましい実施形態である。
【０１００】
また、図１２には、さらに異なる遊技盤開放保持機構の構成例を二点鎖線で示している。この遊技盤開放保持機構は係合金具４９を主体として構成される。係合金具４９は、化粧板３１の下面を支持する平板状の支持アーム部４９ａと、支持アーム部の側縁が上方に曲げ起こされて化粧板３１の後面を当接支持する後面支持壁部４９ｂとを有し、化粧板３１の下端の高さ位置に合わせて裏セット盤４０の前面側に揺動開閉可能に組み付けられている。係合金具４９の揺動角度は、この係合金具が裏セット盤の前面側に収容される収容角度位置から、支持アーム部４９ａに化粧板３１の下面を支持させ後面支持壁４９ｂに化粧板３１の後面を当接させた係合角度位置の範囲で揺動可能（出没変移可能）に支持されている。
【０１０１】
このような遊技盤開放保持機構では、遊技盤３０を開放保持させる際に、まず係合金具４９を収容角度位置から係合角度位置に揺動させて化粧板３１の下端面を支持可能に配置しておく。そして、前枠２０および遊技盤３０の開放角度を調整して化粧板３１の開放端側の下面を支持アーム部４９ａに載置して荷重を支持させ、化粧板３１の前面角部を裏セット盤４１の右枠杆４７に、化粧板３１の後面を後面支持壁部４９ｂに当接させて、化粧板３１の開放端側を支持させる。
【０１０２】
前述したように、遊技盤３０および前枠２０は、外枠固定時の後傾姿勢の設定により、開放状態にあっては外枠１０の方向に付勢されており、また係合金具４９は係合角度位置よりも開かないようになっている。このため、上記のように係合金具４９に支持された化粧板３１は、化粧板３１の前端角部が裏セット盤４０の前面に当接し、化粧板３１の後面が後面支持壁部４９ｂに当接支持されてこれらの当接部に挟持されるように配設され、遊技盤３０が開放姿勢に保持される。
【０１０３】
なお、支持アーム部４９ａに上方に突出する突起部を設け、化粧板３１の下面にこの突起部と係脱可能な突起受容部を設けて、支持アーム部４９ａに化粧板３１の下面を支持させたときに、突起部と突起受容部とが係合して開放姿勢を保持するように構成することも好ましい。このような構成によれば、遊技盤開放姿勢での安定度を向上させ、前枠２０や遊技盤３０を揺動させるような力に対して抗力を高めた構成とすることができる。
【０１０４】
さて、以上では、遊技盤３０を開放姿勢に保持させる遊技盤開放保持機構について各種実施例をあげて説明してきたが、本パチンコ機ＰＭには遊技盤３０の開放姿勢を安定させて遊技盤後面側の保守作業をさらに容易化するため、裏セット盤開放保持機構８０が設けられている。
【０１０５】
裏セット盤開放保持機構８０は、裏セット盤ヒンジ機構６０が設けられた側縁と反対側、すなわち遊技盤開放保持機構が設けられた正面右側の外枠１０および裏セット盤４０に設けられており、上下方向にかみ合い係合可能な外枠１０側の係止部材８１と、裏セット盤４０の球貯留タンク４１に取り付けられた被係止部材８２とを主体として構成される。以下、図２０および図２１を参照してこの裏セット盤開放保持機構８０について説明する。なお図２０は裏セット盤開放保持機構８０を斜め後方から見た斜視図、図２１は裏セット盤開放保持機構の係合過程を示す側面図である。
【０１０６】
係止部材８１は、右枠板１３の受容切り欠き部１３ｃに打ち込まれるネジ部、円盤状のフランジ部８１ｂ、およびネジ部とフランジ部８１ｂとの間に形成された係合軸部８１ｃを有し、全体として平頭ないしトラス頭の木ネジ状をなし、金属線材を旋削ないし転造して形成される。係止部材８１が取り付けられる受容切り欠き部１３ｃの所定位置には、ネジ部８１ａを導入するための下穴が予め穿設されている。
【０１０７】
係止部材８１は、フランジ部８１ｂをチャックして回動させる自動打ち込み機により上記下穴にねじ込まれ、フランジ部８１ｂの座面と受容切り欠き部１３ｃの表面との間に係合軸部８１ｃを視認可能な一定間隔（例えば被係止部材８２の板厚の２〜３倍程度の間隔）をおいた打ち込み高さに固定される。なお、フランジ部８１ｂに六角穴や十字スリ割り等の工具係合部を設けて手動で打ち込むように構成してもよい。
【０１０８】
被係止部材８２は、ネジ挿通孔が穿設された平板状のベース部８２ａ、ベース部８２ａの右側縁の一部が折り曲げられて後方に突出するフックプレート部８２ｂ、フックプレート部８２ｂに下方に開いて形成された係止溝８２ｃ、フックプレート部８２ｂの後端部と係止溝８２ｃとの間に下向き斜面状に形成されたガイド縁面８２ｄ、ベース部８２ａの上部が球貯留タンク４１の壁面形状に合わせてコの字状に折り返されベース部と平行に延びる挟持辺部８２ｆ、挟持辺部８２ｆの下部が球貯留タンク４１の底面に合わせて折り曲げられタンク後壁面の補強機能とタンク内に貯留された遊技球のアース機能とを兼ね備えたアース辺部８２ｇなどからなり、例えば板厚１．５ｍｍ程度のステンレス鋼板を打ち抜きおよび曲げ成形して形成される。なお、被係止部材８２は詳細図示省略するアース線で所要のアース端子に接続されている。
【０１０９】
球貯留タンク４１における後壁面の所定位置には、ベース部８２ａに穿設された左右のネジ挿通孔と整合する円筒状のネジボス４１ａが一体成型されている。被係止部材８２は、ベース部８２ａと挟持辺部８２ｆとで球貯留タンク４１の後壁面および左右のネジボス４１ａを挟持するように嵌着し、アース辺部８２ｇをタンク底面に密接させて、左右のネジ挿通孔からネジボス４１ａにネジ８９を螺合締結することで球貯留タンク４１の後壁面に固定される。
【０１１０】
なお、係合軸部８１ｃと係止溝８２ｃとの関係では、係止溝８２ｃの溝幅が係合軸部８１ｃの軸径と同一若しくはわずかに大きめに設定され、係止溝８２ｃの上端位置および係合軸部８１ｃの高さ位置は、係止溝８２ｃの上端部が係合軸部８１ｃと係合したときに、この裏セット盤開放保持機構８０と裏セット盤ヒンジ機構６０とによって、裏セット盤４０が左右水平に支持されるように設定されている。
【０１１１】
右枠板１３に形成された切り欠き部１３ｃは、被係止部材８２のフックプレート部８２ｂが進入する高さ位置に合わせて部分的に切り欠かかれ、フランジ部８１ｂが外枠の内側に突出しないようになっている。また、フックプレート部８２ｂは、図４に示すようにタンク部材４１の後壁面を右枠板１３の前面に当接させたときの、外枠１０に対するタンク後壁面の相対傾斜角に合わせて先端側が屈曲成形されており、裏セット盤４０を開放してフックプレート部８２ｂを外枠１０の内方に進入させたときに、フックプレート先端部が切り欠き部１３ｃと平行に（係合軸部８１ｃと直角に）進入するように構成されている。
【０１１２】
このため、裏セット盤４０を外枠方向に揺動させると、フックプレート先端部が切り欠き部１３ｃの内壁面に沿って、切り欠き部１３ｃとフランジ部８１ｂとの間に進入し、図７（ａ）に示すようにフックプレート部の下向きのガイド縁面８２ｄが係合軸部８１ｃの外周面に当接する。そこで、裏セット盤４０を外枠方向に押圧すると、ガイド縁面８２ｄが係合軸部８１ｃに乗り上げるように係合して滑り、裏セット盤４０の右枠杆側をわずかに上動させながら外枠内方に移動する。そして、ガイド縁面８２ｄの端部が係合軸部８１ｃの上端を越えると、今度は係止溝８２ｃの溝面が係合軸部８１ｃと係合し、裏セット盤４０が引き込まれるように揺動して係合軸部８１ｃと係止溝８２ｃの上端部とがかみ合い係合する。
【０１１３】
こうして係止部材８１と被係止部材８２とが上下にかみ合い係合すると、係合軸部８１ｃと係止溝８２ｃとの係合によって裏セット盤４０が前後方向に係止され、またフックプレート部８２ｂがフランジ部８１ｂと切り欠き部１３ｃとの間に挟持されて左右方向に係止される。これにより、裏セット盤４０は前後および左右の両方向に移動が規制されて裏セット盤自身の揺動が規制される他、裏セット盤開放保持機構８０、裏セット盤ヒンジ機構６０、および前枠ヒンジ機構３の三つの連結支点により前枠２０の揺動も併せて規制され、裏セット盤４０および前枠２０がともに図４に示した開放姿勢に係止保持される。このため、前述した遊技盤３０の後面側の保守作業を、前枠２０、遊技盤３０、裏セット盤４０が揺動しない安定姿勢で行うことができる。
【０１１４】
なお、裏セット盤４０を閉鎖するときには、裏セット盤４０の右側部分を軽く持ち上げて被係止部材８２を上動させ、係止溝８２ｃと係合軸部８１ｃとのかみ合い係合を解除させ、裏セット盤４０を手前に引き出せばよい。このように、裏セット盤開放保持機構８０では、裏セット盤４０を外枠１０方向に押圧することで裏セット盤４０を半自動的に開放保持させることができ、また、開放姿勢の裏セット盤４０を軽く持ち上げて前方に引き出すことで開放保持状態を解除することができる。従って簡単な操作で裏セット盤４０を開放保持させることができ、前枠２０、遊技盤３０、裏セット盤４０が揺動しない安定した開放姿勢で遊技盤の後面の保守作業や着脱作業を行うことができる。
【０１１５】
なお以上では、上下方向にかみ合い係合可能な外枠側の係止部材と裏セット盤側の被係止部材の構成例として、外枠１０側の係止部材８１に係合軸部８１ｃを設け、裏セット盤４０側の被係止部材８２に係止溝８２ｃを設けて、係止溝８２ｃが移動して係合軸部８１ｃにかみ合い係合する形態を例示したが、これらの軸部と溝部の配設位置関係を逆に構成してもよい。また、上下のかみ合い形態は上下逆方向であってもよく、例えばヒンジ金具の弾性や裏セット盤の撓みを利用して被係止部材が係止部材の下側に沈み込んで係合するような形態であってもよい。
【０１１６】
【発明の効果】
以上説明したように、本発明は、固定保持用の外枠に前枠ヒンジ機構を介して前方に横開き開閉可能に組み付けられた前枠と、前枠に設けられた収容枠に前枠の後方から収容保持される遊技盤と、前枠ヒンジ機構と同じ一側縁側に設けられた裏セット盤ヒンジ機構を介して前枠に後方に横開き開閉可能に組み付けられる裏セット盤とを備えた遊技機において、遊技盤が前枠および遊技盤における裏セット盤ヒンジ機構等と反対側の他側縁側に設けられた遊技盤ヒンジ機構により、収容枠の後方に横開き開閉および着脱が可能に収容されるとともに、遊技盤および裏セット盤には、前枠および裏セット盤が開放されてさらに遊技盤が前枠の後方に開放された遊技盤開放状態において相互に係脱可能な係合手段を備え、遊技盤開放状態で係合手段を係合させることにより、遊技盤が前枠の後方に開放された開放姿勢に保持されるように遊技盤の支持機構が構成される。
【０１１７】
このため、前枠を外枠前方に開放し裏セット盤を前枠後方に開放した状態では、遊技盤ヒンジ機構が、開放された前枠の前端側に位置して視認および係脱操作容易に配設される。このため、遊技盤を収容枠に収容させる装着作業では、収容枠側ヒンジ金具と遊技盤側ヒンジ金具とを容易に位置合わせして係合させることができ、ヒンジ係合後は遊技盤の後面を前方に押圧して揺動閉止させることで遊技盤を簡単に収容枠に収容させることができる。
【０１１８】
また、本構成の支持機構では、遊技盤および裏セット盤に相互に係脱可能な係合手段が備えられ、この係合手段を係合させることで遊技盤が前枠の後方に開放された開放姿勢に保持される。そしてこの遊技盤開放姿勢では、遊技盤が前枠の開放端側と裏セット盤の開放端側との間を繋いで支持され、遊技盤の後面側が前方に開いた状態で配設される。このため、遊技盤の後面側全域について容易に保守作業を行うことができ、さらに、隣接する遊技機の遊技者用の椅子を利用して楽な作業姿勢で保守作業を行うことができる。従って、本発明によれば、遊技盤着脱時の作業性や遊技盤後面側の保守作業の作業性等を改善した遊技盤の支持機構を提供することができる。
【図面の簡単な説明】
【図１】本発明を適用した遊技機の一例として示すパチンコ機の正面図である。
【図２】上記パチンコ機の背面図である。
【図３】外枠を取り外し裏セット盤を開放した状態におけるパチンコ機の背面図である。
【図４】遊技盤開放保持機構により裏セット盤を開放保持した状態のパチンコ機の平面図である。
【図５】裏セット盤を開放した状態における裏セット盤ヒンジ機構の背面図である。
【図６】収容枠から遊技盤を取り外した状態で示す遊技盤ヒンジ機構の斜視図である。
【図７】収容枠に遊技盤を収容させた状態の遊技盤ヒンジ機構の背面図である。
【図８】上方のヒンジ機構におけるヒンジピンとヒンジ溝との係合状態を主として示す側断面図である。
【図９】収容枠側ヒンジ金具に遊技盤側ヒンジ金具を係脱させるときの作用を主として示す平面図である。
【図１０】開放補助部材の取付部近傍の斜視図である。
【図１１】遊技盤を開閉する際の開放補助部材の作用を示す平断面図である。
【図１２】第１実施例の遊技盤開放保持機構により遊技盤が開放保持された状態を示す平面図である。
【図１３】第１実施例の遊技盤開放保持機構の主要部を示す分解斜視図である。
【図１４】図１２中の矢印ＸＩＶ方向から見た矢視図である。
【図１５】図１２中の矢印ＸＶ方向から見た矢視図である。
【図１６】第１実施例の遊技盤開放保持機構の作用を示す平面図（部分断面図）である。
【図１７】第２実施例の遊技盤開放保持機構により遊技盤が開放保持された状態を示す平面図である。
【図１８】図１７中の矢印ＸＶＩＩＩ方向から見た矢視図である。
【図１９】第３実施例の遊技盤開放保持機構により遊技盤が開放保持された状態を示す図面（図１２中の矢印ＸＩＶ方向から見た矢視図）である。
【図２０】裏セット盤開放保持機構を斜め後方から見た斜視図である。
【図２１】裏セット盤開放保持機構の係合過程を示す側面図である。
【符号の説明】
ＰＡ  遊技領域
ＰＩ  遊技島
ＰＭ  パチンコ機
３（３Ｕ，３Ｌ）  前枠ヒンジ機構
４  施錠装置
５  ガラス扉
６  上球皿
７  下球皿
８  発射ハンドル
９  遊技球発射装置
１０  外枠
１１  上枠板
１２  左枠板
１３  右枠板（１３ｃ  受容切り欠き部）
１４  下枠板
２０  前枠
２１  収容枠
（２１ａ  固定支持部、２１ｂ  第１側辺受容部、２１ｅ切り欠き部）
２３，２３′  閉鎖クランプ
（２３ａ  クランプレバー、２３ｂ  支軸、２３ｃ  コイルバネ、２３ｄ  袋ナット）
２５  ロックレバー
３０  遊技盤
３１  化粧板
３２  金具収容部（３２ａ  固定収容部、３２ｂ  プレート収容部）
３４  入賞具
３５  画像表示装置
３７  アウト口
３８，３８′  逃げ面
４０  裏セット盤
４１  球貯留タンク（４１ａネジボス）
４２  タンクレール
４４  球払出装置
４５  球払出通路
４６  遊技済み球排出通路
４７  右枠杆
４８  係合軸取付部
（４８ａ  スライドガイド、４８ｂ  支軸部、４８ｃ  スリット溝、４８ｄ  スライド規制片）
４９  係合金具（４９ａ  支持アーム部、４９ｂ  後面支持壁部）
５０  （５０Ｕ，５０Ｌ）  遊技盤ヒンジ機構
５１  収容枠側ヒンジ金具
（５１ａ  固定フランジ部、５１ｂ  ヒンジプレート部、５１ｃ  ヒンジピン、５１ｄ  位置決めピン孔）
５２  遊技盤側ヒンジ金具
（５２ａ  固定フランジ部、５２ｂ  ヒンジプレート部、５２ｃ  ヒンジ溝、５２ｒ  逃げ面）
５３ｂ  ネジボス
５３ｄ  位置決め突起
５５  開放補助部材
（５５ａ  固定部、５５ｂ  第１側辺部、５５ｃ  アーチ部、５５ｄ  第２側辺部、５５ｅ  付勢片部）
５７  サラ小ネジ
５８  ネジ
５９  ネジ
６０（６０Ｕ，６０Ｌ）  裏セット盤ヒンジ機構
６１  前枠側ヒンジ金具
（６１ａ  固定フランジ部、６１ｂ  ヒンジプレート部、６１ｃ  ヒンジピン、６１ｄ  位置決めピン孔）
６２  裏セット盤側ヒンジ金具
（６２ａ  固定フランジ部、６２ｂ  ヒンジプレート部）
６３ｄ  位置決め突起
６４ａ  位置決めリブ
６４ｂ  ネジボス
６８  サラ小ネジ
７０  遊技盤開放保持機構（第１実施例）
７１  係合軸
（７１ｂ  軸部、７１ｃ  規制ピン、７１ｄ  操作レバー部、７１ｅ  遊技盤係合部）
７２  受け金具
（７２ａ  固定辺部、７２ｂ  支持脚部、７２ｃ  フックプレート部、７２ｄ  開口部、７２ｅ  係合受け部）
８０  裏セット盤開放保持機構
８１  係止部材
（８１ｂ  フランジ部、８１ｃ  係合軸部）
８２  被係止部材
（８２ａ  ベース部、８２ｂ  フックプレート部、８２ｃ  係止溝、８２ｄ  ガイド縁面、８２ｆ  挟持辺部、８２ｇ  アース辺部）
８９  ネジ
１４８  アーム取付部（１４８ｂ  ネジボス）
１７０  裏セット盤開放保持機構（第２実施例）
１７１  係合レバー
（１７１ａ  アーム部、１７１ｃ  フック部、１７１ｍ  つまみ部）
１７２  受け金具
（１７２ａ  固定プレート部、１７２ｃ  フック受け部）
１７３  支持金具
１７８  ネジ
１７９  ネジ
２４８  スプリング収容部（２４８ｂ  バネ係止部）
２７０  裏セット盤開放保持機構（第３実施例）
２７１  係止スプリング
（２７１ａ  コイル部、２７１ｂ  フック部、２７１ｃ  フック部）
２７２  受け金具（２７２ｃ  バネ掛止部）
【図１】
2005000298.tif 000003
【図２】
2005000298.tif 000004
【図３】
2005000298.tif 000005
【図４】
2005000298.tif 000006
【図５】
2005000298.tif 000007
【図６】
2005000298.tif 000008
【図７】
2005000298.tif 000009
【図８】
2005000298.tif 000010
【図９】
2005000298.tif 000011
【図１０】
2005000298.tif 000012
【図１１】
2005000298.tif 000013
【図１２】
2005000298.tif 000014
【図１３】
2005000298.tif 000015
【図１４】
2005000298.tif 000016
【図１５】
2005000298.tif 000017
【図１６】
2005000298.tif 000018
【図１７】
2005000298.tif 000019
【図１８】
2005000298.tif 000020
【図１９】
2005000298.tif 000021
【図２０】
2005000298.tif 000022
【図２１】
2005000298.tif 000023